(57)【要約】【課題】副鼻腔用バルーンカテーテルを提供すること。【解決手段】本発明の実施形態による副鼻腔用カテーテルは、本体ユニット（１００）と、曲げ角度調節レバー（２１０）及び回転板（２２０）を備える曲げ角度調節ユニット（２００）と、バルーン（４３０）及び内側に一対の曲げ角度調節ワイヤ（ｗ１、ｗ２）を備えるガイドユニット（４００）とを含み、ガイドユニット（４００）は、第１ガイド本体（４１１）及び第１ガイド本体（４１１）に摺動可能に備えられる第２ガイド本体（４１２）を含み、バルーン（４３０）は、第２ガイド本体（４１２）上に備えられ、回転板（２２０）は一対の曲げ角度調節ワイヤ（ｗ１、ｗ２）のいずれか一方に連結されて回転するが、他方の曲げ角度調節ワイヤはガイドユニット（４００）内で維持され、ガイドユニット（４００）は、蝶形骨洞（Ｓｐｈｅｎｏｉｄａｌ  Ｓｉｎｕｓ）、前頭洞（Ｆｒｏｎｔａｌ  Ｓｉｎｕｓ）及び上顎洞（Ｍａｘｉｌｌａｒｙ  Ｓｉｎｕｓ）のいずれかの部位に挿入される。【選択図】図１
2018083075.tif 000002
【特許請求の範囲】
【請求項１】
本体ユニット（１００）と、
曲げ角度調節レバー（２１０）及び前記曲げ角度調節レバー（２１０）が上下移動可能に装着される回転板（２２０）を備える曲げ角度調節ユニット（２００）と、
バルーン（４３０）及び内側に一対の曲げ角度調節ワイヤ（ｗ１、ｗ２）を備えるガイドユニット（４００）とを含み、
前記ガイドユニット（４００）は、先端が可撓性材質で形成された第１ガイド本体（４１１）、及び前記第１ガイド本体（４１１）に摺動可能に備えられる第２ガイド本体（４１２）を含み、
前記バルーン（４３０）は、前記第２ガイド本体（４１２）上に備えられ、
前記曲げ角度調節レバー（２１０）の前後移動に応じて前記回転板（２２０）が回転し、前記回転板（２２０）は前記一対の曲げ角度調節ワイヤ（ｗ１、ｗ２）に連結されて回転し、それに応じて内側に前記一対の曲げ角度調節ワイヤ（ｗ１、ｗ２）が収容された前記第１ガイド本体（４１１）の先端の曲げ角度（Ｂｅｎｄｉｎｇ  Ａｎｇｌｅ）が調節され、
前記曲げ角度調節レバー（２１０）の下端には、前記曲げ角度調節レバー（２１０）の固定のための固定突起（２１１）が装着され、
前記本体ユニット（１００）の上面には、前記固定突起２１１が挿入される固定溝（１５１）が形成され、
前記固定突起（２１１）は、前記曲げ角度調節レバー（２１０）の上下移動に応じて、前記固定溝（１５１）に挿入される第１位置、及び前記固定溝（１５１）から分離される第２位置間で回転移動することができ、
前記第１位置において前記曲げ角度調節レバー（２１０）の前後移動が制限されることにより、前記第１ガイド本体（４１１）の先端の曲げ角度が固定され、
前記ガイドユニット（４００）は、蝶形骨洞（Ｓｐｈｅｎｏｉｄａｌ  Ｓｉｎｕｓ）、前頭洞（Ｆｒｏｎｔａｌ  Ｓｉｎｕｓ）及び上顎洞（Ｍａｘｉｌｌａｒｙ  Ｓｉｎｕｓ）のいずれかの部位に挿入される、
副鼻腔用バルーンカテーテル。
【請求項２】
前記本体ユニット（１００）は、流体注入部１２０を含み、
前記副鼻腔用バルーンカテーテルは、前記流体注入部（１２０）に連結されてバルーン（４３０）に流体を注入する流体注入ユニット（２０００）をさらに含む、請求項１に記載の副鼻腔用バルーンカテーテル。
【請求項３】
前記曲げ角度調節レバー（２１０）は、前記本体ユニット（１００）の外部に突出する、請求項１に記載の副鼻腔用バルーンカテーテル。
【請求項４】
前記回転板（２２０）は円板形状である、請求項３に記載の副鼻腔用バルーンカテーテル。
【請求項５】
前記回転板（２２０）には前記回転板（２２０）から突出した装着ロッド（２２１）が備えられ、前記本体ユニット（１００）には前記装着ロッド（２２１）が挿入される装着孔（１２１）が形成された、請求項４に記載の副鼻腔用バルーンカテーテル。
【請求項６】
前記回転板（２２０）は、前記装着ロッド（２２１）が前記装着孔（１２１）に挿入された状態で前記装着ロッド（２２１）を中心に回転可能な、請求項５に記載の副鼻腔用バルーンカテーテル。
【請求項７】
前記回転板（２２０）は、前記装着ロッド（２２１）の周囲に配列された複数の回転ロッド（２２４、２２５、２２６、２２７）を含み、
前記一対の曲げ角度調節ワイヤ（ｗ１、ｗ２）のいずれかは、前記複数の回転ロッド（２２４、２２５、２２６、２２７）のいずれかの回転ロッドに連結される、請求項６に記載の副鼻腔用バルーンカテーテル。
【請求項８】
前記回転板（２２０）は、
前記曲げ角度調節レバー（２１０）が挿入装着される曲面（２２２）と、
前記曲面（２２２）に対して垂直となるように配置された平坦な側面（２２３）とを含む、請求項７に記載の副鼻腔用バルーンカテーテル。
【請求項９】
前記曲面（２２２）には、前記曲げ角度調節レバー（２１０）が装着されるレバー装着室（２３０）が形成され、
前記曲げ角度調節レバー（２１０）は、前記レバー装着室（２３０）の底面（２３１）に弾性部材により装着される、請求項８に記載の副鼻腔用バルーンカテーテル。
【請求項１０】
前記回転板（２２０）の側面（２２３）には、第１極性を有する第１磁性体が装着される第１磁性孔（２４０）が形成され、
前記回転板（２２０）の側面（２２３）に対向して配置される前記本体ユニット（１００）の側面には、前記第１極性と反対の第２極性を有する第２磁性体が装着される複数の第２磁性孔（１４１、１４２、１４３、１４４）が形成された、請求項８に記載の副鼻腔用バルーンカテーテル。
【請求項１１】
前記第１磁性孔（２４０）は、前記回転板（２２０）の回転により前記複数の第２磁性孔（１４１、１４２、１４３、１４４）のいずれかと整列できる、請求項１０に記載の副鼻腔用バルーンカテーテル。
【請求項１２】
前記本体ユニット（１００）の先端から延設されて前記ガイドユニット（４００）を囲むように備えられる延長部（３００）をさらに含み、
前記延長部（３００）には、前記第２ガイド本体（４１２）の摺動のためのバルーン位置調節レバー（３１０）が形成された、請求項１に記載の副鼻腔用バルーンカテーテル。
【請求項１３】
前記第２ガイド本体（４１２）には、
前記バルーン（４３０）への流体注入のための流体注入孔（４１２ａ）が形成された、請求項１２に記載の副鼻腔用バルーンカテーテル。
【発明の詳細な説明】
【技術分野】
【０００１】
本発明は、バルーンカテーテルに関し、特にバルーンカテーテルの先端の曲げ角度とバルーンの位置を自由に調節できるバルーンカテーテルに関する。本発明は、課題固有番号１００６３３８９号「整合度１ｍｍと１３ａｔｍ級の３次元手術ナビゲーション装置とバルーンカテーテルの融合システムの開発」研究課題の結果物として導き出されたものである。
【背景技術】
【０００２】
副鼻腔炎とは、副鼻腔に異常が生じて副鼻腔の分泌物が十分に排出されず、細菌感染及び炎症が発生して粘膜が腫れ、副鼻腔の入口が狭くなる疾患である。一般に蓄膿症と呼ばれ、日常生活に大きな不便をもたらす。
【０００３】
副鼻腔炎を治療するためにバルーンカテーテルを用いる施術方法は、従来の施術方法よりも切開部位の回復が早いという利点を有する。バルーンカテーテル施術は、カテーテルを鼻腔に挿入し、副鼻腔の入口部でカテーテルの末端に位置するバルーンを拡張することにより副鼻腔の入口を拡張し、副鼻腔内の炎症、分泌物などを除去する方式である。
【０００４】
副鼻腔は前頭洞、上顎洞及び蝶形骨洞からなり、バルーンカテーテルを挿入するためには各部位に合った曲げ角度を有するバルーンカテーテルが必要である。
よって、特許文献１（２０１５年１０月１８日）は、湾曲の程度が異なる前頭洞拡張器具、上顎洞拡張器具及び蝶形骨洞拡張器具を含む副鼻腔拡張器具を開示しているが、あくまで固定曲げ角度を有するカテーテルに関するものであり、バルーンカテーテルの曲げ角度の調節には失敗している。
【０００５】
特許文献２（２０１２年２月１０日）は、可撓性材質の遠位チップにより０度〜１８０度の角度でシャフトに対して傾斜する技術を開示しているが、可撓性材質からなる遠位チップにより傾斜するにすぎず、ユーザの必要に応じたバルーンカテーテルの曲げ角度の調節は不可能である。
【先行技術文献】
【特許文献】
【０００６】
【特許文献１】韓国公開特許第１０−２０１５−０１１３９５３号公報
【特許文献２】韓国公開特許第１０−２０１２−００１２７９６号公報
【発明の概要】
【発明が解決しようとする課題】
【０００７】
本発明は、前記の従来技術の問題を解決するためになされたものである。
特に、バルーンカテーテルの曲げ角度とバルーンの位置を自由に調節することにより、患者毎に異なる副鼻腔の構造に合わせて挿入できる副鼻腔バルーンカテーテルを提供する。
【課題を解決するための手段】
【０００８】
よって、本発明は、本体ユニット１００と、曲げ角度調節レバー２１０及び曲げ角度調節レバー２１０が上下移動可能に装着される回転板２２０を備える曲げ角度調節ユニット２００と、バルーン４３０及び内側に一対の曲げ角度調節ワイヤｗ１、ｗ２を備えるガイドユニット４００とを含み、ガイドユニット４００は、先端が可撓性材質で形成された第１ガイド本体４１１、及び第１ガイド本体４１１に摺動可能に備えられる第２ガイド本体４１２を含み、バルーン４３０は、第２ガイド本体４１２上に備えられ、曲げ角度調節レバー２１０の前後移動に応じて回転板２２０が回転し、回転板２２０は一対の曲げ角度調節ワイヤｗ１、ｗ２に連結されて回転し、それに応じて内側に一対の曲げ角度調節ワイヤｗ１、ｗ２が収容された第１ガイド本体４１１の先端の曲げ角度（Ｂｅｎｄｉｎｇ  Ａｎｇｌｅ）が調節され、曲げ角度調節レバー２１０の下端には、曲げ角度調節レバー２１０の固定のための固定突起２１１が装着され、本体ユニット１００の上面には、固定突起２１１が挿入される固定溝１５１が形成され、固定突起２１１は、曲げ角度調節レバー２１０の上下移動に応じて、固定溝１５１に挿入される第１位置、及び固定溝１５１から分離される第２位置間で回転移動することができ、前記第１位置において曲げ角度調節レバー２１０の前後移動が制限されることにより、第１ガイド本体４１１の先端の曲げ角度が固定され、ガイドユニット４００は、蝶形骨洞（Ｓｐｈｅｎｏｉｄａｌ  Ｓｉｎｕｓ）、前頭洞（Ｆｒｏｎｔａｌ  Ｓｉｎｕｓ）及び上顎洞（Ｍａｘｉｌｌａｒｙ  Ｓｉｎｕｓ）のいずれかの部位に挿入される、副鼻腔用バルーンカテーテルを提供する。
【０００９】
一実施形態において、本体ユニット１００は、流体注入部１２０を含み、前記副鼻腔用バルーンカテーテルは、流体注入部１２０に連結されてバルーン４３０に流体を注入する流体注入ユニット２０００をさらに含んでもよい。
【００１０】
一実施形態において、曲げ角度調節レバー２１０は、本体ユニット１００の外部に突出してもよい。
一実施形態において、回転板２２０は円板形状であってもよい。
【００１１】
一実施形態において、回転板２２０には回転板２２０から突出した装着ロッド２２１が備えられ、本体ユニット１００には装着ロッド２２１が挿入される装着孔１２１が形成されてもよい。
【００１２】
一実施形態において、回転板２２０は、装着ロッド２２１が装着孔１２１に挿入された状態で装着ロッド２２１を中心に回転してもよい。
一実施形態において、回転板２２０は、装着ロッド２２１の周囲に配列された複数の回転ロッド２２４、２２５、２２６、２２７を含み、一対の曲げ角度調節ワイヤｗ１、ｗ２のいずれかは、複数の回転ロッド２２４、２２５、２２６、２２７のいずれかの回転ロッドに連結されてもよい。
【００１３】
一実施形態において、回転板２２０は、曲げ角度調節レバー２１０が挿入装着される曲面２２２と、曲面２２２に対して垂直となるように配置された平坦な側面２２３とを含んでもよい。
【００１４】
一実施形態において、曲面２２２には、曲げ角度調節レバー２１０が装着されるレバー装着室２３０が形成され、曲げ角度調節レバー２１０は、レバー装着室２３０の底面２３１に弾性部材により装着されてもよい。
【００１５】
一実施形態において、回転板２２０の側面２２３には、第１極性を有する第１磁性体が装着される第１磁性孔２４０が形成され、回転板２２０の側面２２３に対向して配置される本体ユニット１００の側面には、前記第１極性と反対の第２極性を有する第２磁性体が装着される複数の第２磁性孔１４１、１４２、１４３、１４４が形成されてもよい。
【００１６】
一実施形態において、第１磁性孔２４０は、回転板２２０の回転により複数の第２磁性孔１４１、１４２、１４３、１４４のいずれかと整列できるようにしてもよい。
一実施形態において、前記副鼻腔用バルーンカテーテルは、本体ユニット１００の先端から延設されてガイドユニット４００を囲むように備えられる延長部３００をさらに含み、延長部３００には、第２ガイド本体４１２の摺動のためのバルーン位置調節レバー３１０が形成されてもよい。
【００１７】
一実施形態において、第２ガイド本体４１２には、バルーン４３０への流体注入のための流体注入孔４１２ａが形成されてもよい。
【発明の効果】
【００１８】
本発明は、バルーンカテーテルの先端の曲げ角度を自由に調節することができるので、副鼻腔の様々な部位にバルーンカテーテルを容易に挿入できるという利点を有する。
バルーンカテーテルに備えられたバルーンの位置も自由に調節することができるので、施術の正確性が向上する。
【００１９】
処置する副鼻腔の部位によってカテーテルの先端の曲げ角度を容易に変更することができるので、施術時間を短縮することができ、末端チップを様々な種類に製作したり、別途の装置を製作しなくてもよいので、製造コスト及び施術コストも低減することができる。
【図面の簡単な説明】
【００２０】
【図１】本発明の実施形態による副鼻腔用バルーンカテーテルの斜視図である。
【図２】図１の副鼻腔用バルーンカテーテルの縦断面図である。
【図３】本発明の第１実施形態による副鼻腔用バルーンカテーテルの本体ユニットと曲げ角度調節ユニットを示す図である。
【図４】本発明の第２実施形態による副鼻腔用バルーンカテーテルの本体ユニットと曲げ角度調節ユニットを示す図である。
【図５】図４の副鼻腔用バルーンカテーテルの動作を説明するための図である。
【図６】図１の副鼻腔用バルーンカテーテルの曲げ角度を調節する様子を説明するための図である。
【図７】図１の副鼻腔用バルーンカテーテルのバルーンの位置が調節される様子を説明するための図である。
【発明を実施するための形態】
【００２１】
まず、添付図面を参照して、本発明の副鼻腔用バルーンカテーテルを具体的に説明する。図面に示す副鼻腔用バルーンカテーテルのバルーンは流体注入により膨張した状態であることを予め断っておく。
【００２２】
１．第１実施形態
まず、図１〜図３を参照して、本発明の第１実施形態による副鼻腔用バルーンカテーテルについて説明する。
【００２３】
図１に示すように、本発明の第１実施形態による副鼻腔用バルーンカテーテルは、バルーンカテーテル本体１０００及び流体注入ユニット２０００を含む。
バルーンカテーテル本体１０００は、副鼻腔に挿入されて処置を行う部分である。図１に示すように、バルーンカテーテル本体１０００は、本体ユニット１００、曲げ角度調節ユニット２００、延長部３００及びガイドユニット４００を含む。
【００２４】
本体ユニット１００は、バルーンカテーテルの曲げ角度を調節する曲げ角度調節ユニット２００が装着される部分である。本体ユニット１００は、ガイドワイヤ挿入部１１０及び流体注入部１２０を含む。
【００２５】
本体ユニット１００の上面には、バルーンカテーテルの曲げ角度固定のための複数の固定溝１５１が形成される。複数の固定溝１５１のいずれかの溝に後述する固定突起２１１が挿入されることにより、曲げ角度調節レバー２１０の移動が固定される。
【００２６】
ガイドワイヤ挿入部１１０は、本体ユニット１００の後端に位置し、ガイドチャネル１１１を介してガイドワイヤＷが挿入される。ガイドワイヤＷの長さは、本体ユニット１００、延長部３００及びガイドユニット４００の長さの和より長いことが好ましい。こうすることにより、ガイドユニット４００の外部にガイドワイヤＷを突出させることができる。外部に突出したガイドワイヤＷは、バルーンカテーテルの副鼻腔への挿入をガイドする。また、ガイドワイヤＷの末端には、ＬＥＤなどのライト機能が備えられる。よって、顔の外部（額、頬骨など）でＬＥＤなどが発する光を確認することにより、副鼻腔の正確な位置に挿入されたかを確認することができる。
【００２７】
流体注入部１２０もガイドワイヤ挿入部１１０と同様に、本体ユニット１００の後端に位置する。流体注入部１２０には、流体注入ユニット２０００が連結される。ユーザが流体注入ユニット２０００により流体を注入すると、流体注入チャネル１３１を介してバルーン４３０に流体が注入されてバルーン４３０が膨張する。流体注入チャネル１３１の末端は第２ガイド本体４１２に連結されているので、流体注入孔４１２ａからバルーン４３０に流体を注入することができる。バルーン４３０は、流体注入により膨張すると共に、炎症により狭くなった副鼻腔の入口を広くする。
【００２８】
曲げ角度調節ユニット２００は、本体ユニット１００の装着室１３０に装着され、曲げ角度調節ワイヤｗ１、ｗ２に連結されてバルーンカテーテルの先端の曲げ角度を調節する部分である。ここで、曲げ角度（Ｂｅｎｄｉｎｇ  Ａｎｇｌｅ）とは、ガイドユニット４００に対するバルーンカテーテルの先端の傾斜の程度を意味する。曲げ角度調節ユニット２００によりバルーンカテーテルの先端の曲げ角度が自由に調節され、少なくとも蝶形骨洞（Ｓｐｈｅｎｏｉｄａｌ  Ｓｉｎｕｓ）、前頭洞（Ｆｒｏｎｔａｌ  Ｓｉｎｕｓ）及び上顎洞（Ｍａｘｉｌｌａｒｙ  Ｓｉｎｕｓ）のいずれかに挿入される曲げ角度を有するように調節されることが好ましい。図２〜図４に示すように、曲げ角度調節ユニット２００は、曲げ角度調節レバー２１０、回転板２２０及びレバー装着室２３０を含む。
【００２９】
曲げ角度調節レバー２１０は、本体ユニット１００の外部に突出した部分であり、回転板２２０に挿入される。ユーザは、曲げ角度調節レバー２１０を操作して回転板２２０を回転させ、回転板２２０に連結された曲げ角度調節ワイヤｗ１、ｗ２を調節することにより、バルーンカテーテルの曲げ角度を調節することができる。
【００３０】
曲げ角度調節レバー２１０の下端には、バルーンカテーテルの曲げ角度を固定するための固定突起２１１が装着される。本体ユニット１００の表面には、一般の解剖学的構造により決定された副鼻腔の各角度に合った曲げ角度が表記されることが好ましい。本体ユニット１００に表記された角度により、副鼻腔の各部位への挿入が容易になるようにバルーンカテーテルの先端の曲げ角度を調節して固定することができる。個人毎に異なる副鼻腔の構造に合わせて、バルーンカテーテルの先端の曲げ角度を微調節して固定できることは言うまでもない。
【００３１】
図３に示すように、ユーザは曲げ角度調節レバー２１０を加圧することにより、バルーンカテーテルの曲げ角度を調節することができる。より具体的には、曲げ角度調節レバー２１０にいかなる力も加えられないと、固定突起２１１は固定溝１５１に挿入された状態になる（図３の（ａ））。曲げ角度調節レバー２１０に力を加えても動かず、バルーンカテーテルの曲げ角度も固定される。
【００３２】
曲げ角度調節レバー２１０に力を加えると、曲げ角度調節レバー２１０に装着された固定突起２１１は、曲げ角度調節レバー２１０に装着された面を中心に回転して固定溝１５１から分離される（図３の（ｂ））。曲げ角度調節レバー２１０が動くことのできる状態になり、曲げ角度調節レバー２１０を前後に操作すると、バルーンカテーテルの曲げ角度を調節することができる。
【００３３】
回転板２２０は、曲げ角度調節レバー２１０の動作により回転する部分である。
回転板２２０は、円板形状であることが好ましい。回転板２２０の中心には突設された装着ロッド２２１が備えられ、本体ユニット１００には装着ロッド２２１が挿入される装着孔１２１が形成されることが好ましい。装着ロッド２２１が装着孔１２１に挿入されると、曲げ角度調節ユニット２００は本体ユニット１００に装着された状態になる。曲げ角度調節ユニット２００の回転板２２０は、装着ロッド２２１が装着孔１２１に挿入された状態で装着ロッド２１１を中心に回転する。
【００３４】
図２に示すように、回転板２２０は、曲げ角度調節レバー２１０が装着される曲面２２２と、曲面２２２に対して垂直となるように配置された平坦な側面２２３とを含む。
曲面２２２の下端には、曲げ角度調節レバー２１０が装着されるレバー装着室２３０が形成される。曲げ角度操作レバー２１０は、レバー装着室２３０の底面２３１に弾性部材２３２により装着される。
【００３５】
側面２２３には、装着ロッド２２１を中心に周囲に配列された複数の回転ロッド２２４、２２５、２２６、２２７が突設される。複数の回転ロッド２２４、２２５、２２６、２２７のいずれかの回転ロッドには、曲げ角度調節ワイヤｗ１、ｗ２が連結される。回転板２２０が回転すると複数の回転ロッド２２４、２２５、２２６、２２７が共に回転し、回転ロッドに連結された曲げ角度調節ワイヤｗ１、ｗ２も動く。こうすることにより、曲げ角度調節ワイヤｗ１、ｗ２を含むバルーンカテーテルの先端の曲げ角度を調節することができる。
【００３６】
延長部３００は、本体ユニット１００の先端から延設され、ガイド本体４１０を囲むように備えられる。
延長部３００には、第２ガイド本体４１２の摺動のためのバルーン位置調節レバー３１０が形成される。バルーン位置調節レバー３１０は、第２ガイド本体４１２を囲むように備えられる。バルーン位置調節レバー３１０は、摺動溝３１１に沿って前後に移動することにより、第２ガイド本体４１２の摺動を可能にする。
【００３７】
ガイドユニット４００は、副鼻腔に挿入される部分である。図１及び図２に示すように、ガイドユニット４００は、ガイド本体４１０と、バルーン４３０とを含む。
ガイド本体４１０は、第１ガイド本体４１１と、第２ガイド本体４１２とを含む。
【００３８】
第１ガイド本体４１１には、縦方向にガイドチャネル１１１が貫通形成される。ガイドチャネル１１１は、ガイドワイヤＷが挿入される通路である。ガイドワイヤＷは、ガイドチャネル１１１を経てガイドユニット４００の外部に突出することにより、副鼻腔への挿入のガイドの役割を果たす。
【００３９】
第１ガイド本体４１１内には、一対の曲げ角度調節ワイヤｗ１、ｗ２が備えられる。第１ガイド本体４１１の曲げ角度調節が容易になるように、各曲げ角度調節ワイヤは第１ガイド本体４１１内で最大離隔距離を有することが好ましい。
【００４０】
曲げ角度調節ワイヤｗ１、ｗ２は、ガイド本体４１０の内部における形状変化により、ガイド本体４１０の先端の曲げ角度を調節する。曲げ角度調節ワイヤの数は限定されるものではないが、以下では曲げ角度調節ワイヤｗ１、ｗ２が２本である場合を例に挙げて説明する。
【００４１】
図２に示すように、第１曲げ角度調節ワイヤｗ１は第１回転ロッド２２４に連結され、第２曲げ角度調節ワイヤｗ２は第３回転ロッド２２６に連結される。回転板２２０が回転すると回転ロッドも回転するので、回転ロッドに連結された第１曲げ角度調節ワイヤｗ１と第２曲げ角度調節ワイヤｗ２のいずれかの形状が変化する。
【００４２】
第１ガイド本体４１１の先端は、可撓性材質のチューブで形成されることが好ましい。こうすることにより、第１曲げ角度調節ワイヤｗ１と第２曲げ角度調節ワイヤｗ２の形状変化が起こると、可撓性材質のチューブが曲げ角度調節ワイヤの形状変化に応じて変形する（図６）。
【００４３】
第２ガイド本体４１２は、第１ガイド本体４１１の直径より大きく、第１ガイド本体４１１を囲むように備えられる。第２ガイド本体４１２は、第１ガイド本体４１１に摺動可能に備えられることが好ましい。第２ガイド本体４１２を囲むバルーン位置調節レバー３１０の操作により、第２ガイド本体４１２を摺動させることができる。
【００４４】
バルーン４３０は、流体注入ユニット２０００により流体を注入すると膨張し、炎症により狭くなった副鼻腔の入口を広くする部分である。バルーン４３０は、第２ガイド本体４１２上に備えられ、第２ガイド本体４１２の摺動時に第２ガイド本体４１２と共に移動する。すなわち、バルーン位置調節レバー３１０の操作により、バルーン４３０の位置を調節することができる。
【００４５】
第２ガイド本体４１２には、流体注入のための流体注入孔４１２ａが形成される。流体注入ユニット２０００により流体を注入すると、流体は流体注入チャネル１３１、第２ガイド本体４１２、流体注入孔４１２ａを経てバルーン４３０に到達する。
【００４６】
２．第２実施形態
次に、図４及び図５を参照して、本発明の第２実施形態による副鼻腔用バルーンカテーテルについて説明する。
【００４７】
第１実施形態と同様に、曲げ角度調節ユニット２００の操作によりバルーンカテーテルの先端の曲げ角度が調節され、バルーン位置調節レバー３１０の操作によりバルーン４３０の位置が変化する。
【００４８】
ただし、バルーンカテーテルの先端の曲げ角度を固定する構成が異なるので、同一部分についての説明は省略し、第１実施形態とは異なる部分についてのみ具体的に説明する。
図４に示すように、回転板２２０の側面２２３には、第１極性を有する第１磁性体が挿入される第１磁性孔２４０が形成される。側面２２３に対向して配置される本体ユニット１００の側面には、第１極性と反対の第２極性を有する第２磁性体が挿入される複数の第２磁性孔１４１、１４２、１４３、１４４が形成される。
【００４９】
ここで、第１極性はＮ極、第２極性はＳ極であってもよい。
しかし、これに限定されるものではなく、互いに引力が作用する極性を有するものであればいかなるものでもよい。
【００５０】
曲げ角度調節レバー２１０の操作により回転板２２０が回転すると、回転板２２０に形成された第１磁性孔２４０は複数の第２磁性孔１４１、１４２、１４３、１４４のいずれかの第２磁性孔に整列される（図５の（ｂ））。第１磁性孔２４０に挿入された第１磁性体と第２磁性孔１４１、１４２、１４３、１４４に挿入された第２磁性体は、反対の極性を有するので、互いの引力により引き付けられて結合する。
【００５１】
第２実施形態による副鼻腔用カテーテルにおいては、第１磁性体と第２磁性体の結合によりバルーンカテーテルの先端の曲げ角度の固定を行うことができる。
以上、本明細書においては本発明を当業者が容易に理解して再現できるように図面に示す実施形態を参照して説明したが、これらは例示的なものにすぎず、当業者であれば本発明の実施形態から様々な変形及び  均等な他の実施形態が可能であることを理解するであろう。よって、本発明の保護範囲は特許請求の範囲によって定められるべきである。
【符号の説明】
【００５２】
１００…本体ユニット、１１０…ガイドワイヤ挿入部、１２０…流体注入部、１３０…装着室、１３１…流体注入チャネル、１４１，１４２，１４３，１４４…第２磁性孔、１５１…固定溝、２００…曲げ角度調節ユニット、２１０…曲げ角度調節レバー、２１１…固定突起、２２０…回転板、２２１…装着ロッド、２２２…曲面、２２３…側面、２２４…第１回転ロッド、２２５…第２回転ロッド、２２６…第３回転ロッド、２２７…第４回転ロッド、２３０…レバー装着室、２４０…第１磁性孔、３００…延長部、３１０…バルーン位置調節レバー、３１１…摺動溝、４００…ガイドユニット、４１０…ガイド本体、４１１…第１ガイド本体、４１２…第２ガイド本体、４１２ａ…流体注入孔、４３０…バルーン、ｗ１…第１曲げ角度調節ワイヤ、ｗ２…第２曲げ角度調節ワイヤ、Ｗ…ガイドワイヤ、１０００…バルーンカテーテル本体、２０００…流体注入ユニット。
【図１】
2018083075.tif 000003
【図２】
2018083075.tif 000004
【図３】
2018083075.tif 000005
【図４】
2018083075.tif 000006
【図５】
2018083075.tif 000007
【図６】
2018083075.tif 000008
【図７】
2018083075.tif 000009